(57)【要約】【課題】ＬＴＥ方式やＬＴＥ-Ａｄｖａｎｃｅｄ方式において実現可能な通信速度を反映させた受信レベルを表示する。【解決手段】本発明に係る移動局ＵＥは、ネットワークの運用帯域幅及び移動局ＵＥのカテゴリの少なくとも１つに基づいて、移動局ＵＥで実現可能な通信速度を反映させた受信レベルを決定するように構成されている決定部１２と、決定部１２によって決定された受信レベルに基づく表示を行うように構成されている表示部１３とを具備する。【選択図】図９
2015095881.tif 000002
【特許請求の範囲】
【請求項１】
移動局であって、
ネットワークの運用帯域幅及び前記移動局のカテゴリの少なくとも１つに基づいて、該移動局で実現可能な通信速度を反映させた受信レベルを決定するように構成されている決定部と、
前記決定部によって決定された前記受信レベルに基づく表示を行うように構成されている表示部とを具備することを特徴とする移動局。  
【請求項２】
前記決定部は、前記ネットワークの運用帯域幅及び前記移動局のカテゴリの少なくとも１つに加えて、下り無線品質に基づいて、前記受信レベルを決定するように構成されていることを特徴とする請求項１に記載の移動局。
【請求項３】
前記表示部は、所定記号の数の変化によって、前記受信レベルを表示するように構成されていることを特徴とする請求項１又は２に記載の移動局。
【請求項４】
前記表示部は、所定記号の大きさ又は長さの変化によって、前記受信レベルを表示するように構成されていることを特徴とする請求項１又は２に記載の移動局。
【請求項５】
前記表示部は、色の変化によって、前記受信レベルを表示するように構成されていることを特徴とする請求項１又は２に記載の移動局。
【請求項６】
前記表示部は、数値の変化によって、前記受信レベルを表示するように構成されていることを特徴とする請求項１又は２に記載の移動局。
【請求項７】
前記表示部は、前記ネットワークの運用帯域幅を表示するように構成されていることを特徴とする請求項１乃至６のいずれか一項に記載の移動局。
【請求項８】
前記表示部は、前記移動局のカテゴリによって決定される最大スループットの期待値を表示するように構成されていることを特徴とする請求項１乃至７のいずれか一項に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式では、図１３に示すように、移動局ＵＥは、ＲＳＲＰ（Ｒｅｆｅｒｅｎｃｅ  Ｓｉｇｎａｌ  Ｒｅｃｅｉｖｅｄ  Ｐｏｗｅｒ）等の下り無線品質に応じて、移動局ＵＥにおける受信レベルの表示を変更するように構成されている。
【０００３】
また、図１４に示すように、移動局ＵＥは、通信方式に応じて、ＲＡＴ（Ｒａｄｉｏ  Ａｃｃｅｓｓ  Ｔｅｃｈｎｏｌｏｇｙ）の表示を変更するように構成されている。
【先行技術文献】
【非特許文献】
【０００４】
【非特許文献１】「Ｃｏｐｙｒｉｇｔ（Ｃ）  ２０１２  Ｔｈｅ  Ａｎｄｒｏｉｄ  Ｏｐｅｎ  Ｓｏｕｒｃｅ  Ｐｒｏｊｅｃｔ」、http://my.fit.edu/~vkepuska/ece5570/adt-bundle-windows-x86_64/sdk/sources/android-17/android/telephony/CellSignalStrengthLte.java
【発明の概要】
【発明が解決しようとする課題】
【０００５】
しかしながら、ＬＴＥ方式では、図１５（ａ）に示すように、ネットワークの運用帯域幅が可変（１.４〜２０ＭＨｚ）であるため、下り無線品質だけでは、移動局ＵＥで実現可能な通信速度について適切に表すことができないという問題点があった。
【０００６】
具体的には、下り無線品質が悪く、表示されている受信レベルが低い場合であっても、ネットワークの運用帯域幅が広ければ、移動局ＵＥで実現可能な通信速度が高速になる場合がある。
【０００７】
例えば、図１５（ｂ）に示すように、ネットワークの運用帯域幅が「５ＭＨｚ」で、受信レベルが「４」である場合よりも、ネットワークの運用帯域幅が「２０ＭＨｚ」で、受信レベルが「２」である場合の方が、移動局ＵＥで実現可能な通信速度が高速になる場合がある。
【０００８】
また、ＣＡ（Ｃａｒｒｉｅｒ  Ａｇｇｒｅｇａｔｉｏｎ）を行うことができるＬＴＥ-Ａｄｖａｎｃｅｄ方式における移動局ＵＥで実現可能な通信速度が、ＬＴＥ方式における移動局ＵＥで実現可能な通信速度よりも必ずしも高速になるとは限らないという問題点があった。
【０００９】
例えば、図１６に示すように、移動局ＵＥが、ＬＴＥ-Ａｄｖａｎｃｅｄ方式においてＣＡを行って合計１５ＭＨｚの通信帯域を利用する場合よりも、移動局ＵＥが、ＬＴＥ方式において２０ＭＨｚの単一の通信帯域を利用する場合の方が、移動局ＵＥで実現可能な通信速度が高速になる。
【００１０】
そこで、本発明は、上述の課題に鑑みてなされたものであり、ＬＴＥ方式やＬＴＥ-Ａｄｖａｎｃｅｄ方式において実現可能な通信速度を反映させた受信レベルを表示することができる移動局を提供することを目的とする。
【課題を解決するための手段】
【００１１】
本発明の第１の特徴は、移動局であって、ネットワークの運用帯域幅及び前記移動局のカテゴリの少なくとも１つに基づいて、該移動局で実現可能な通信速度を反映させた受信レベルを決定するように構成されている決定部と、前記決定部によって決定された前記受信レベルに基づく表示を行うように構成されている表示部とを具備することを要旨とする。
【発明の効果】
【００１２】
以上説明したように、本発明によれば、ＬＴＥ方式やＬＴＥ-Ａｄｖａｎｃｅｄ方式において実現可能な通信速度を反映させた受信レベルを表示することができる移動局を提供することができる。
【図面の簡単な説明】
【００１３】
【図１】本発明の第１の実施形態に係る移動局ＵＥの表示画面を示す図である。
【図２】本発明の第１の実施形態に係る移動局ＵＥの機能ブロック図である。
【図３】本発明の第１の実施形態に係る移動局ＵＥの表示画面におけるレベルの表示方法の一例を示す図である。
【図４】本発明の第１の実施形態に係る移動局ＵＥの表示画面におけるレベルの表示方法の一例を示す図である。
【図５】本発明の第１の実施形態に係る移動局ＵＥの表示画面におけるレベルの表示方法の一例を示す図である。
【図６】本発明の第１の実施形態に係る移動局ＵＥの表示画面におけるレベルの表示方法の一例を示す図である。
【図７】本発明の第１の実施形態に係る移動局ＵＥの表示画面におけるレベルの表示方法の一例を示す図である。
【図８】本発明の第１の実施形態に係る移動局ＵＥの表示画面におけるレベルの表示方法の一例を示す図である。
【図９】本発明の第１の実施形態に係る移動局ＵＥの動作の一例を示すフローチャートである。
【図１０】本発明の第１の実施形態に係る移動局ＵＥの動作の一例を示すフローチャートである。
【図１１】本発明の第１の実施形態に係る移動局ＵＥの動作の一例を示すフローチャートである。
【図１２】本発明の第１の実施形態に係る移動局ＵＥの動作の一例を示すフローチャートである。
【図１３】従来技術を説明するための図である。
【図１４】従来技術を説明するための図である。
【図１５】従来技術を説明するための図である。
【図１６】従来技術を説明するための図である。
【発明を実施するための形態】
【００１４】
（本発明の第１の実施形態）
図１乃至図１２を参照して、本発明の第１の実施形態に係る移動局ＵＥについて説明する。
【００１５】
本実施形態に係る移動局ＵＥは、通常の携帯通信端末であってもよいし、図１に示すように、一般的に「スマートフォン」と称される携帯通信端末であってもよい。
【００１６】
また、図１に示すように、本実施形態に係る移動局ＵＥでは、表示画面内の領域１において、移動局ＵＥで実現可能な通信速度を反映させた受信レベルが表示されるように構成されている。
【００１７】
図２に示すように、本実施形態に係る移動局ＵＥは、受信部１１と、決定部１２と、表示部１３とを具備している。
【００１８】
受信部１１は、無線基地局ｅＮＢから各種信号を受信するように構成されている。例えば、受信部１１は、無線基地局ｅＮＢ配下のセルにおいて報知されている報知情報を受信するように構成されている。
【００１９】
決定部１２は、ネットワークの運用帯域幅及び移動局ＵＥのカテゴリの少なくとも１つに基づいて、移動局ＵＥで実現可能な通信速度を反映させた受信レベルを決定するように構成されている
ここで、ＣＡが行われている場合には、決定部１２は、ネットワークの運用帯域幅として、ネットワークの合計運用帯域幅を用いるように構成されていてもよい。
【００２０】
例えば、決定部１２は、ネットワークの運用帯域幅が２０ＭＨｚ以上である場合、上述の受信レベルを「レベル４」と決定し、ネットワークの運用帯域幅が１５ＭＨｚ以上２０ＭＨｚ未満である場合、上述の受信レベルを「レベル３」と決定し、ネットワークの運用帯域幅が１０ＭＨｚ以上１５ＭＨｚ未満である場合、上述の受信レベルを「レベル２」と決定し、ネットワークの運用帯域幅が５ＭＨｚ以上１０ＭＨｚ未満である場合、上述の受信レベルを「レベル１」と決定し、ネットワークの運用帯域幅が５ＭＨｚ未満である場合、上述の受信レベルを「レベル０」と決定するように構成されていてもよい。
【００２１】
或いは、移動局ＵＥが、ＧＰＲＳ（Ｇｅｎｅｒａｌ  Ｐａｃｋｅｔ  Ｒａｄｉｏ  Ｓｅｒｖｉｃｅ）方式やＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式のカテゴリ１０やＬＴＥ方式のカテゴリ６に対応している場合、決定部１２は、ＣＡ対応エリア（下り最大速度２６２.５Ｍｂｐｓ）では、上述の受信レベルを「レベル４」と決定し、ＬＴＥ方式のエリア（下り最大速度１５０Ｍｂｐｓ）では、上述の受信レベルを「レベル３」と決定し、ＨＳＤＰＡ方式のエリア（下り最大速度１３.９８Ｍｂｐｓ）では、上述の受信レベルを「レベル２」と決定し、３Ｇ（ＷＣＤＭＡ：Ｗｉｄｅｂａｎｄ  ＣＤＭＡ）方式のエリア（下り最大速度３８４ｋｂｐｓ）では、上述の受信レベルを「レベル１」と決定し、ＧＰＲＳ方式のエリア（下り最大速度２１.４ｋｂｐｓ）では、上述の受信レベルを「レベル０」と決定するように構成されていてもよい。
【００２２】
また、決定部１２は、ネットワークの運用帯域幅及び移動局ＵＥのカテゴリの組み合わせに基づいて、上述の受信レベルを決定するように構成されていてもよい。
【００２３】
具体的には、決定部１２は、ネットワークの運用帯域幅及び移動局ＵＥのカテゴリの組み合わせによって決まる最大スループットが１５０Ｍｂｐｓ以上である場合、上述の受信レベルを「レベル４」と決定し、ネットワークの運用帯域幅及び移動局ＵＥのカテゴリの組み合わせによって決まる最大スループットが１００Ｍｂｐｓ以上１５０Ｍｂｐｓ未満である場合、上述の受信レベルを「レベル３」と決定し、ネットワークの運用帯域幅及び移動局ＵＥのカテゴリの組み合わせによって決まる最大スループットが５０Ｍｂｐｓ以上１００Ｍｂｐｓ未満である場合、上述の受信レベルを「レベル２」と決定し、ネットワークの運用帯域幅及び移動局ＵＥのカテゴリの組み合わせによって決まる最大スループットが２５Ｍｂｐｓ以上５０Ｍｂｐｓ未満である場合、上述の受信レベルを「レベル１」と決定し、ネットワークの運用帯域幅及び移動局ＵＥのカテゴリの組み合わせによって決まる最大スループットが２５Ｍｂｐｓ未満である場合、上述の受信レベルを「レベル０」と決定するように構成されていてもよい。
【００２４】
例えば、移動局ＵＥがＬＴＥ方式のカテゴリ４である場合で、ネットワークの運用帯域幅が２０ＭＨｚである場合、下り最大速度（下り最大スループット）が１５０Ｍｂｐｓとなるので、決定部１２は、上述の受信レベルを「レベル４」と決定するように構成されていてもよい。
【００２５】
或いは、移動局ＵＥがＬＴＥ方式のカテゴリ３である場合で、ネットワークの運用帯域幅が１５ＭＨｚである場合、下り最大速度が１００Ｍｂｐｓとなるので、決定部１２は、上述の受信レベルを「レベル３」と決定するように構成されていてもよい。
【００２６】
或いは、移動局ＵＥがＬＴＥ方式のカテゴリ３又は４である場合で、ネットワークの運用帯域幅が１０ＭＨｚである場合、下り最大速度が７５Ｍｂｐｓとなるので、決定部１２は、上述の受信レベルを「レベル２」と決定するように構成されていてもよい。
【００２７】
或いは、移動局ＵＥがＬＴＥ方式のカテゴリ３/４である場合で、ネットワークの運用帯域幅が５ＭＨｚである場合、下り最大速度が３７.５Ｍｂｐｓとなるので、決定部１２は、上述の受信レベルを「レベル１」と決定するように構成されていてもよい。
【００２８】
さらに、決定部１２は、ネットワークの運用帯域幅及び移動局ＵＥのカテゴリの少なくとも１つに加えて、下り無線品質に基づいて、上述の受信レベルを決定するように構成されていてもよい。
【００２９】
ここで、決定部１２は、かかる下り無線品質として、ＣＱＩ（Ｃｈａｎｎｅｌ  Ｑｕａｌｉｔｙ  Ｉｎｄｉｃａｔｏｒ）や、ＲＳＳＩ（Ｒｅｃｅｉｖｅｄ  Ｓｉｇｎａｌ  Ｓｔｒｅｎｇｔｈ  Ｉｎｄｉｃａｔｏｒ）や、ＲＳＲＰ（Ｒｅｆｅｒｅｎｃｅ  Ｓｉｇｎａｌ  Ｒｅｃｅｉｖｅｄ  Ｐｏｗｅｒ）や、ＲＳＲＱ（Ｒｅｆｅｒｅｎｃｅ  Ｓｉｇｎａｌ  Ｒｅｃｅｉｖｅｄ  Ｑｕａｌｉｔｙ）や、ＳＮＲ（Ｓｉｇｎａｌ  Ｎｏｉｚｅ  Ｒａｔｉｏ）等を用いるように構成されていてもよい。
【００３０】
或いは、決定部１２は、かかる下り無線品質として、ＣＱＩ等を最大値（ＣＡＩの場合「１５」）で正規化した値を用いるように構成されていてもよい。
【００３１】
例えば、決定部１２は、ネットワークの運用帯域幅及び移動局ＵＥのカテゴリの組み合わせによって決まる最大スループット及び下り無線品質を表す係数を乗算した値が１５０Ｍｂｐｓ以上である場合、上述の受信レベルを「レベル４」と決定し、ネットワークの運用帯域幅及び移動局ＵＥのカテゴリの組み合わせによって決まる最大スループット及び下り無線品質を表す係数を乗算した値が１００Ｍｂｐｓ以上１５０Ｍｂｐｓ未満である場合、上述の受信レベルを「レベル３」と決定し、ネットワークの運用帯域幅及び移動局ＵＥのカテゴリの組み合わせによって決まる最大スループット及び下り無線品質を表す係数を乗算した値が５０Ｍｂｐｓ以上１００Ｍｂｐｓ未満である場合、上述の受信レベルを「レベル２」と決定し、ネットワークの運用帯域幅及び移動局ＵＥのカテゴリの組み合わせによって決まる最大スループット及び下り無線品質を表す係数を乗算した値が２５Ｍｂｐｓ以上５０Ｍｂｐｓ未満である場合、上述の受信レベルを「レベル１」と決定し、ネットワークの運用帯域幅及び移動局ＵＥのカテゴリの組み合わせによって決まる最大スループット及び下り無線品質を表す係数を乗算した値が２５Ｍｂｐｓ未満である場合、上述の受信レベルを「レベル０」と決定するように構成されていてもよい。
【００３２】
表示部１３は、決定部１２によって決定された受信レベルに基づく表示を行うように構成されている。
【００３３】
例えば、表示部１３は、図３に示すように、所定記号の数（図３の例では、長さの異なる長方形の数）の変化によって、上述の受信レベルを表示するように構成されていてもよい。
【００３４】
例えば、表示部１３は、図３に示すように、上述の受信レベルが「レベル４」である場合、４個の所定記号を表示し、上述の受信レベルが「レベル３」である場合、３個の所定記号を表示し、上述の受信レベルが「レベル２」である場合、２個の所定記号を表示し、上述の受信レベルが「レベル１」である場合、１個の所定記号を表示し、上述の受信レベルが「レベル０」である場合、所定記号を表示しないように構成されていてもよい。
【００３５】
また、表示部１３は、図４に示すように、所定記号の大きさ又は長さ（図４の例では、長方形の横方向の長さ）の変化によって、上述の受信レベルを表示するように構成されていてもよい。
【００３６】
また、表示部１３は、図５に示すように、色の変化によって、上述の受信レベルを表示するように構成されていてもよい。
【００３７】
さらに、表示部１３は、図６に示すように、数値の変化によって、上述の受信レベルを表示するように構成されていてもよい。
【００３８】
例えば、表示部１３は、図６に示すように、上述の受信レベルが「レベル４」である場合、数値「４」を表示し、上述の受信レベルが「レベル３」である場合、数値「３」を表示し、上述の受信レベルが「レベル２」である場合、数値「２」を表示し、上述の受信レベルが「レベル１」である場合、数値「１」を表示し、上述の受信レベルが「レベル０」である場合、数値「０」を表示するように構成されていてもよい。
【００３９】
また、表示部１３は、図７に示すように、さらに、ネットワークの運用帯域幅を表示するように構成されていてもよい。図７の例では、ネットワークの運用帯域幅が２０ＭＨｚである場合、表示部１３は、図３乃至図６の何れかの表示に加えて「２０」を表示するように構成されていてもよい。
【００４０】
さらに、表示部１３は、図８に示すように、さらに、移動局ＵＥのカテゴリによって決定される最大スループットの期待値を表示するように構成されていてもよい。図８の例では、ネットワークの運用帯域幅及び移動局ＵＥのカテゴリの組み合わせによって決まる最大スループットが１５０Ｍｂｐｓである場合、表示部１３は、図３乃至図６の何れかの表示に加えて「１５０」を表示するように構成されていてもよい。
【００４１】
以下、図９乃至図１２を参照して、本実施形態に係る移動局ＵＥの動作の一例について説明する。
【００４２】
第１に、図９を参照して、本実施形態に係る移動局ＵＥの動作例１について説明する。
【００４３】
図９に示すように、ステップＳ１０１において、ＣＡを行っている移動局ＵＥは、報知情報を介して、ネットワークの運用帯域幅に係る情報を取得する。
【００４４】
移動局ＵＥは、ステップＳ１０２において、ネットワークの合計運用帯域幅が閾値０以上でないと判断した場合には、ステップＳ１０３において、受信レベルが「レベル０」である場合の表示を行う。
【００４５】
移動局ＵＥは、ステップＳ１０２において、ネットワークの合計運用帯域幅が閾値０以上であると判断した場合で、ステップＳ１０４において、ネットワークの合計運用帯域幅が閾値１以上でないと判断した場合、ステップＳ１０５において、受信レベルが「レベル１」である場合の表示を行う。
【００４６】
移動局ＵＥは、ステップＳ１０４において、ネットワークの合計運用帯域幅が閾値１以上であると判断した場合で、ステップＳ１０６において、ネットワークの合計運用帯域幅が閾値２以上でないと判断した場合、ステップＳ１０７において、受信レベルが「レベル２」である場合の表示を行う。
【００４７】
移動局ＵＥは、同様の動作を繰り返し、ステップＳ１０８において、ネットワークの合計運用帯域幅が閾値３以上でないと判断した場合、ステップＳ１０９において、受信レベルが「レベル３」である場合の表示を行う。
【００４８】
移動局ＵＥは、ステップＳ１０８において、ネットワークの合計運用帯域幅が閾値３以上であると判断した場合、ステップＳ１１０において、受信レベルが「レベル４」である場合の表示を行う。
【００４９】
ここで、本実施形態に係る移動局ＵＥでは、受信レベルは、５個に分割されているものとする。
【００５０】
第２に、図１０を参照して、本実施形態に係る移動局ＵＥの動作例２について説明する。
【００５１】
図１０に示すように、ステップＳ２０１において、移動局ＵＥは、報知情報を介して、ＲＡＴ（Ｒａｄｉｏ  Ａｃｃｅｓｓ  Ｔｅｃｈｎｏｌｏｇｙ）に係る情報を取得する。
【００５２】
移動局ＵＥは、ステップＳ２０２において、かかるＲＡＴにおける移動局ＵＥのカテゴリにおける仕様上の最大速度（最大スループット）を算出する。
【００５３】
移動局ＵＥは、ステップＳ２０３において、かかるＲＡＴにおける移動局ＵＥのカテゴリにおける仕様上の最大速度が閾値０以上でないと判断した場合には、ステップＳ２０４において、受信レベルが「レベル０」である場合の表示を行う。
【００５４】
移動局ＵＥは、ステップＳ２０３において、かかるＲＡＴにおける移動局ＵＥのカテゴリにおける仕様上の最大速度が閾値０以上であると判断した場合で、ステップＳ２０５において、かかるＲＡＴにおける移動局ＵＥのカテゴリにおける仕様上の最大速度が閾値１以上でないと判断した場合には、ステップＳ２０６において、受信レベルが「レベル１」である場合の表示を行う。
【００５５】
移動局ＵＥは、ステップＳ２０５において、かかるＲＡＴにおける移動局ＵＥのカテゴリにおける仕様上の最大速度が閾値１以上であると判断した場合で、ステップＳ２０７において、かかるＲＡＴにおける移動局ＵＥのカテゴリにおける仕様上の最大速度が閾値２以上でないと判断した場合、ステップＳ２０８において、受信レベルが「レベル２」である場合の表示を行う。
【００５６】
移動局ＵＥは、同様の動作を繰り返し、ステップＳ２０９において、かかるＲＡＴにおける移動局ＵＥのカテゴリにおける仕様上の最大速度が閾値３以上でないと判断した場合、ステップＳ２１０において、受信レベルが「レベル３」である場合の表示を行う。
【００５７】
移動局ＵＥは、ステップＳ２０９において、かかるＲＡＴにおける移動局ＵＥのカテゴリにおける仕様上の最大速度が閾値３以上であると判断した場合、ステップＳ２１１において、受信レベルが「レベル４」である場合の表示を行う。
【００５８】
ここで、本実施形態に係る移動局ＵＥでは、受信レベルは、５個に分割されているものとする。
【００５９】
第３に、図１１を参照して、本実施形態に係る移動局ＵＥの動作例３について説明する。
【００６０】
図１１に示すように、ステップＳ３０１において、移動局ＵＥは、報知情報を介して、ネットワークの運用帯域幅に係る情報を取得する。
【００６１】
移動局ＵＥは、ステップＳ３０２において、ネットワークの運用帯域幅及び移動局ＵＥのカテゴリの組み合わせによって決まる仕様上の最大速度（最大スループット）を算出する。
【００６２】
移動局ＵＥは、ステップＳ３０３において、算出された最大速度が閾値０以上でないと判断した場合には、ステップＳ３０４において、受信レベルが「レベル０」である場合の表示を行う。
【００６３】
移動局ＵＥは、ステップＳ３０３において、算出された最大速度が閾値０以上であると判断した場合で、ステップＳ３０５において、算出された最大速度が閾値１以上でないと判断した場合には、ステップＳ３０６において、受信レベルが「レベル１」である場合の表示を行う。
【００６４】
移動局ＵＥは、ステップＳ３０５において、算出された最大速度が閾値１以上であると判断した場合で、ステップＳ３０７において、算出された最大速度が閾値２以上でないと判断した場合、ステップＳ３０８において、受信レベルが「レベル２」である場合の表示を行う。
【００６５】
移動局ＵＥは、同様の動作を繰り返し、ステップＳ３０９において、算出された最大速度が閾値３以上でないと判断した場合、ステップＳ３１０において、受信レベルが「レベル３」である場合の表示を行う。
【００６６】
移動局ＵＥは、ステップＳ３０９において、算出された最大速度が閾値３以上であると判断した場合、ステップＳ３１１において、受信レベルが「レベル４」である場合の表示を行う。
【００６７】
ここで、本実施形態に係る移動局ＵＥでは、受信レベルは、５個に分割されているものとする。
【００６８】
第４に、図１２を参照して、本実施形態に係る移動局ＵＥの動作例４について説明する。
【００６９】
図１２に示すように、ステップＳ４０１において、移動局ＵＥは、報知情報を介して、ネットワークの運用帯域幅に係る情報を取得する。
【００７０】
移動局ＵＥは、ステップＳ４０２において、ネットワークの運用帯域幅及び移動局ＵＥのカテゴリの組み合わせによって決まる仕様上の最大速度（最大スループット）を算出する。
【００７１】
移動局ＵＥは、ステップＳ４０３において、算出された最大速度に対して下り無線品質に係る係数を乗算する。
【００７２】
移動局ＵＥは、ステップＳ４０４において、下り無線品質に係る係数が乗算された最大速度が閾値０以上でないと判断した場合には、ステップＳ４０５において、受信レベルが「レベル０」である場合の表示を行う。
【００７３】
移動局ＵＥは、ステップＳ４０４において、下り無線品質に係る係数が乗算された最大速度が閾値０以上であると判断した場合で、ステップＳ４０６において、下り無線品質に係る係数が乗算された最大速度が閾値１以上でないと判断した場合には、ステップＳ４０７において、受信レベルが「レベル１」である場合の表示を行う。
【００７４】
移動局ＵＥは、ステップＳ４０６において、下り無線品質に係る係数が乗算された最大速度が閾値１以上であると判断した場合で、ステップＳ４０８において、下り無線品質に係る係数が乗算された最大速度が閾値２以上でないと判断した場合、ステップＳ４０９において、受信レベルが「レベル２」である場合の表示を行う。
【００７５】
移動局ＵＥは、同様の動作を繰り返し、ステップＳ４１０において、下り無線品質に係る係数が乗算された最大速度が閾値３以上でないと判断した場合、ステップＳ４１１において、受信レベルが「レベル３」である場合の表示を行う。
【００７６】
移動局ＵＥは、ステップＳ４１０において、下り無線品質に係る係数が乗算された最大速度が閾値３以上であると判断した場合、ステップＳ４１２において、受信レベルが「レベル４」である場合の表示を行う。
【００７７】
ここで、本実施形態に係る移動局ＵＥでは、受信レベルは、５個に分割されているものとする。
【００７８】
以上に述べた本実施形態の特徴は、以下のように表現されていてもよい。
【００７９】
本実施形態の第１の特徴は、移動局ＵＥであって、ネットワークの運用帯域幅及び移動局ＵＥのカテゴリの少なくとも１つに基づいて、移動局ＵＥで実現可能な通信速度を反映させた受信レベルを決定するように構成されている決定部１２と、決定部１２によって決定された受信レベルに基づく表示を行うように構成されている表示部１３とを具備することを要旨とする。  
かかる特徴によれば、ＬＴＥ方式やＬＴＥ-Ａｄｖａｎｃｅｄ方式において実現可能な通信速度を反映させた受信レベルを表示することができる。
【００８０】
本実施形態の第１の特徴において、決定部１２は、ネットワークの運用帯域幅及び移動局ＵＥのカテゴリの少なくとも１つに加えて、下り無線品質に基づいて、上述の受信レベルを決定するように構成されていてもよい。
【００８１】
かかる特徴によれば、ネットワークの運用帯域幅及び移動局ＵＥのカテゴリの少なくとも１つに加えて、下り無線品質を考慮することができるので、より通信状況を反映させた受信レベルを表示することができる。
【００８２】
本実施形態の第１の特徴において、表示部１３は、所定記号の数の変化によって、上述の受信レベルを表示するように構成されていてもよい。
【００８３】
本実施形態の第１の特徴において、表示部１３は、所定記号の大きさ又は長さの変化によって、上述の受信レベルを表示するように構成されていてもよい。
【００８４】
本実施形態の第１の特徴において、表示部１３は、色の変化によって、上述の受信レベルを表示するように構成されていてもよい。
【００８５】
本実施形態の第１の特徴において、表示部１３は、数値の変化によって、上述の受信レベルを表示するように構成されていてもよい。
【００８６】
これらの特徴によれば、所定記号の数や大きさや長さや色や数値等を変化させることによって、移動局ＵＥのユーザに対して、視覚的に、上述の受信レベルを知らせることができる。
【００８７】
本実施形態の第１の特徴において、表示部１３は、さらに、ネットワークの運用帯域幅を表示するように構成されていてもよい。
【００８８】
かかる特徴によれば、上述の受信レベルに加えて、移動局ＵＥのユーザに対して、ネットワークの運用帯域幅を知らせることができる。
【００８９】
本実施形態の第１の特徴において、表示部１３は、さらに、移動局ＵＥのカテゴリによって決定される最大スループットの期待値を表示するように構成されていてもよい。
【００９０】
かかる特徴によれば、上述の受信レベルに加えて、移動局ＵＥのユーザに対して、移動局ＵＥのカテゴリによって決定される最大スループットの期待値を知らせることができる。
【００９１】
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
ＵＥ…移動局
１１…受信部
１２…決定部
１３…表示部
【図１】
2015095881.tif 000003
【図２】
2015095881.tif 000004
【図３】
2015095881.tif 000005
【図４】
2015095881.tif 000006
【図５】
2015095881.tif 000007
【図６】
2015095881.tif 000008
【図７】
2015095881.tif 000009
【図８】
2015095881.tif 000010
【図９】
2015095881.tif 000011
【図１０】
2015095881.tif 000012
【図１１】
2015095881.tif 000013
【図１２】
2015095881.tif 000014
【図１３】
2015095881.tif 000015
【図１４】
2015095881.tif 000016
【図１５】
2015095881.tif 000017
【図１６】
2015095881.tif 000018